(57)【特許請求の範囲】
【請求項１】
外側面を板状部材で囲み、且つその両端面に網目状格子窓を有し、両端面の格子窓間には該格子窓で仕切られた連通した空気通路が形成された断熱性材質で構成された立体基材であって、上記板状部材及び上記格子窓の表面には中空ビーズを含む塗布層を形成するとともに、上記立体基材の後端面をエアコン室外機の空気取り入れ口に接合し、立体基材の前端面側に複数の羽根を上下方向に列設したブラインドを取り付け、更に羽根表面には中空ビーズを含む塗料の塗布層を形成したことを特徴とするエアコン室外機の空気取り入れ口カバー。
【請求項２】
立体基材がアルミニウム建材、ゴム、プラスチック、不織布、強化紙、紙材、木材、ガラス繊維及びそれらの複合材から選択された請求項１記載のカバー。
【請求項３】
エアコン室外機の空気取り入れ口に接合される立体基材の天井面にあたる板状部材を延長して室外機の上面部を覆うようにすると共に、その表面には中空ビーズを含む塗料の前記塗布層を設ける請求項１記載のカバー。
【発明の詳細な説明】
【技術分野】
【０００１】
本発明は、エアコン室外機の熱効率を改善し、冷暖房効率を高め、省エネを実現するエアコン室外機の空気取り入れ口カバーに関する。
【背景技術】
【０００２】
世界的にエネルギー事情が逼迫する中で、節電はあらゆる産業分野及び家庭分野において、もっとも重要な近々の課題である。
【０００３】
夏季の冷房、冬季の暖房に使われている電力の消費が年々倍増している深刻なエネルギー事情は、節電技術の向上を求めている。
【０００４】
エアコンの冷暖房効率を高めるためには、エアコン本体のより一層の技術革新が必須条件であることが明らかであるが、一方夏季の冷房時に室外機内の温度を下げることで冷房効率を高め、エネルギー消費を低減することが可能となり、また冬季の暖房時に室外機内の温度を高めに維持することで暖房効率を向上させることができる。
【０００５】
更に、エアコンの室外機フィンや外カバーの直射日光による温度上昇を遮熱材により抑え、日光により加熱された高い温度の空気、水蒸気の温度を下げて室外機へ送入することにより節電につなげることができる等の先行技術がある。
【先行技術文献】
【特許文献】
【０００６】
【特許文献１】特開２０１４−２２４６２１
【特許文献２】特開２００５−２２６９８３
【特許文献３】登録実用新案登録第３０５８３３２号
【発明の概要】
【発明が解決しようとする課題】
【０００７】
従来技術によるエアコン室外機の温度上昇を抑制する方法としては、エアコン室外機の周辺を遮熱・断熱塗料を塗布し、且つまたエアコン室外機に直接遮熱・断熱塗料を塗布することにより、直射日光による熱光線を遮断することによって室外機内の温度上昇を抑えて熱効率を高める方法が提案されているが、この方法では空気の熱及び暖めた蒸気の対策がなされていないため、エアコンの熱効率向上には限界がある。
【０００８】
その他、特許文献１は、低密度ポリエチレンネットに特殊なセラミックを加工塗布した網をエアコンに取り付けることにより、セラミックが発する赤外線の効果により空気中の水分子を微細化することにより、熱効率を上げ、省エネルギー効果をもたらしているが、この方法には太陽光の直射日光によるエアコン機の温度上昇及び日光により高温化した空気の熱低減においてはなにも考慮されていない。
【０００９】
特許文献２には、直射日光による熱を遮断するために断熱マットを斜めに立てかける方法が開示され、特許文献３には室外機のカバーに断熱塗料を塗布する方法が開示されている。
【００１０】
特許文献２に開示された技術では、室外機への空気の吸入、排気の通気が悪化する可能性があり、また高温になった空気の熱をそのまま取り入れてしまうため、熱効率向上には若干問題がある。
【００１１】
更に、特許文献３に開示された技術では、高温化した水蒸気及び空気の熱低減などの課題が解決されていない。
【００１２】
一方、中空ビーズを含む塗布層は、中空ビーズに太陽光の高反射、熱の高反射効果があり、そのため優れた断熱・遮熱機能を持つことが知られている（特開2010−248852、特開平11−90328）。
【００１３】
そこで、本発明の目的は、中空ビーズを含む塗布層の優れた断熱・遮熱機能を発揮できるエアコン室外機の空気取り入れ口カバーを提案して夏季、冬季を問わずヒートポンプを用いたエアコンの冷暖房効率を高め、省エネを図ることにある。
【課題を解決するための手段】
【００１４】
そこで、本発明はその前端面を空気注入口とし、後端面をエアコン室外機の空気取り入れ口に接合し、内部に空気通路を形成した立体基材の前端面側に複数の傾斜羽根を上下方向に列設したブラインドを取り付け、更に羽根表面には中空ビーズを含む塗料の塗布層を形成したことを特徴とするエアコン室外機の空気取り入れ口カバーを提案するものである。
【００１５】
なお、ブラインドはブラインド枠を立体基材の前端面側に嵌め込むことにより取り付けられる。
【００１６】
ここで、複数の羽根は１〜１５cm、好ましくは１０cmの幅で上下方向に列設され、また羽根の傾斜角度は１０°〜５０°、好ましくは３０°である。
【００１７】
なお、羽根の傾斜角度は固定式してもよいが、ブラインドに従来より用いられている羽根角度調節機構を設け、角度調節を可能にするようにしてもよい。
【００１８】
また、立方基材の材質としては、断熱性に優れ、軽量で、成形が容易なアルミニユム建材、ゴム、プラスチック、不織布、強化紙、紙材、木材、ガラス繊維及びそれらの複合材などが使用される。
【００１９】
更に、使用する立体基材の前端面に列設される羽根は、表面に空気抵抗を少なくするための複数の微細な孔を有する羽根も効果的である。
【００２０】
以上の構成において、空気は列設された羽根の間を通って立体基材内に形成された空気通路に送られ、更に室外機に吸引されるが、本発明においては列設された羽根の間を通過する空気は羽根の傾斜により日光の直射を避けることができ、更に羽根の表面には優れた断熱・遮熱機能を持つことが知られている中空ビーズが塗布されているため、夏季においては直射日光による立方体基材の加熱を効果的に低減させ、且つ日光により加熱された空気、高温湿気等の熱は吸収放出されるため、立体基材内に形成される空気通路の温度上昇を効果的に低減できる。
【００２１】
また、高温空気、高温湿気は羽根間を通過する間に、熱エネルギーは塗布層中の中空ビーズで乱反射され熱エネルギーは減衰されて放冷された状態でエアコン室外機の空気取り入れ口に送り込まれる。
【００２２】
したがって、本発明においては冬季のエアコンの暖房時にエアコン室外機内の温度低下が低減できるので外気空気の加温が効率的に行われ、その結果コンプレッサによる冷媒の圧縮を下げることができ、消費電力を節減することができる。
【００２３】
なお、本発明において使用する立体基材は、表面と裏面に中空ビーズを含む断熱・遮熱塗料を塗布した複数の傾斜羽根を列設したものが好ましいが、更に好ましい形態としては傾斜羽根を列設した基材に、前端面と後端面に網目状格子窓を設けた含む塗布層を形成した立体基材を重ね合わせたものを提案する。
【００２４】
この立体基材を用いた場合、前述のように羽根間を通過した高温空気、高温湿気は立体基材の前端面に形成された網目状の微細な格子窓より空気通路内に送入させることにより、その接触面積が大きくなり、且つ空気通路を通過する間に、熱エネルギーは塗布層中の中空ビーズで乱反射され熱エネルギーは減衰されて放冷された状態でエアコン室外機の空気取り入れ口に送り込まれる。
【００２５】
したがって、この立体基材を用いることにより、夏季において、前述のブラインド効果と相俟って直射日光による立体基材内の加熱を更に効果的に低減され、且つ立体基材内に吸入された加熱された空気、高温湿気等の熱を立体基材表面で吸収放出させて室外機内に送り込まれるので、エアコン室外機内の温度を低くでき、このためコンプレッサでの冷媒圧縮効果を高めることができ、消費電力の軽減を図ることができる。
【００２６】
一方、冬季のエアコンの暖房時には、外気の冷気により室外機に送り込まれる空気温度の低下がエアコンの暖房効率を低下させることになるが、本発明では両端面に網目状格子窓を有し、両端面の格子窓間には空気通路が形成された立体基材を通して空気を室外機に送り込み、且つ立体基材表面に中空ビーズを含む塗布層が形成され、その外断熱効果により立体基材内の空気温度乃至室外機に送り込まれる空気温度の低下を低減できる。
【００２７】
本願発明においては、冬季のエアコンの暖房時にエアコン室外機内の温度低下が低減できるので外気空気の加温が効率的に行われ、その結果コンプレッサによる冷媒の圧縮を下げることができ、消費電力を節減することができる。
【００２８】
即ち、この立体基材を使用することにより、これを使用しない場合に比べて実際の動作実験によれば１０〜２０％の冷暖房効果の向上を実現でき、エアコンの冷暖房効率を最高４０％、少なくとも１０％〜２０％高められる。
【００２９】
この立方基材において格子窓の面積は0.5mm2〜10mm2であり、その形状、大きさには制限がないが、空気通路の長さは1mm〜5mmが効果的である。
【発明の効果】
【００３０】
以上のように、本発明においては、冷房時及び暖房時にかかわらず、エアコンの冷暖房効率を高めることができ、消費電力を節減できる。
【図面の簡単な説明】
【００３１】
【図１】本発明に係る羽根列設カバー及び羽根列設カバーと網目窓カバーを複合した一例を示す模式図
【図２】同上の実施例において使用する網目窓立体基材をエアコン室外機の空気取り入れ口に接合する状態を示す斜視図
【図３】同上の実施例において使用する傾斜羽根列設窓立体基材の正面図
【図４】同上の実施例において使用する網目窓立体基材の斜視図
【発明を実施するための形態】
【００３２】
外側面を板状部材で囲み、その前端面を空気注入口とし、後端面をエアコン室外機の空気取り入れ口に接合し、内部に空気通路を形成した立体基材の前端面側に複数の傾斜羽根を上下方向に列設したブラインドを取り付け、更に羽根表面には中空ビーズを含む塗料の塗布層を形成するとともに、立体基材として前端面と後端面に網目状格子窓を有し、該端面の格子窓間に空気通路を形成し、更に上記板状部材及び上記窓の格子表面には中空ビーズを含む塗布層を形成した使用したエアコン室外機の空気取り入れ口カバー。
【実施例１】
【００３３】
以下、本発明を図示の実施例に基づいて説明すると、１は外側面を板状部材２で囲み、その前端面を空気注入口とし、後端面をエアコン室外機の空気取り入れ口に接合し、内部に空気通路を形成した立体基材、立体基材１の前端面側には複数の傾斜羽根３を上下方向に列設したブラインド４が取り付けられる。
【００３４】
また、羽根３の表面には中空ビーズをブレンドした塗料を塗布した塗布層５が設けられる。
【００３５】
以上の構成において、空気は列設された羽根３の間を通って立体基材内に形成された空気通路７に送られ、更に室外機８に吸引されるが、本発明においては列設された羽根３の間を通過する空気は羽根の傾斜により日光の直射を避けることができ、更に羽根３の表面には優れた断熱・遮熱機能を持つことが知られている中空ビーズが塗布されているため、夏季においては直射日光による立方体基材の加熱を効果的に低減させ、且つ日光により加熱された空気、高温湿気等の熱は吸収放出されるため、立体基材内に形成される空気通路の温度上昇を効果的に低減できる。
【００３６】
また、高温空気、高温湿気は羽根３間を通過する間に、熱エネルギーは塗布層中の中空ビーズで乱反射され熱エネルギーは減衰されて放冷された状態でエアコン室外機８の空気取り入れ口に送り込まれる。
【００３７】
したがって、本発明においては冬季のエアコンの暖房時にエアコン室外機内の温度低下が低減できるので外気空気の加温が効率的に行われ、その結果コンプレッサによる冷媒の圧縮を下げることができ、消費電力を節減することができる。
【００３８】
塗布層５に含まれる中空ビーズの太陽光の反射効果及び断熱効果により夏季においては直射日光による立体基材１及び室外機６の加熱を効果的に低減される。
【００３９】
なお、この実施例では立体基材１は、この実施例では外側面を板状部材２で囲われ、且つその前端面と後端面には網目状格子窓６を有し、両端面の格子窓６間には連通する空気通路７が形成される。
【００４０】
外側面を囲む板状部材５及び窓６の格子の表面には優れた断熱・遮熱機能を持つ中空ビーズをブレンドした塗料を塗布した塗布層５を設ける。
【００４１】
８はエアコン室外機であって、室外機８の前面には空気取り入れ口９が設けられている。
【００４２】
立体基材１は、その前端面を外気吸入面とするとともに、その後端面を空気取り入れ口９に接合するようにして室外機８に設置される。
【００４３】
なお、室外機の種類により空気取り入れ口７の構造が異なる場合には、立体基材１の後端面８を任意に変えることができる。
【００４４】
また、この実施例では天井面にあたる板状部材２を延長して室外機８の上面部を覆うようにすると共に、板状部材２の表面には塗料の塗布層５を設ける。
【００４５】
立体基材１を以上の構造にすることにより、高温空気は前端面より格子窓６を通って立体基材１内の空気通路７に送り込まれるが、この際空気及び空気中の蒸気は微細化され、その接触面積を増大させるとともに、この熱射線は塗料中に含まれる中空ビーズにより吸収輻射減衰されるので、立体基材１の他端面からは低温化した空気が空気取り入れ口９に送り込まれる。
【００４６】
更に、断熱性材質で構成される立体基材１と室外機８の上面部を覆う板状部材２の表面に形成された塗布層５の中空ビーズの外断熱効果により立体基材１、室外機６の内部が直射日光等により温度上昇が低減される。
【００４７】
一方、冬季においては、断熱性材質で構成される立体基材１と室外機８の上面部を覆う板状部材２の表面に形成された塗布層５の中空ビーズの外断熱効果により立体基材１、室外機８の内部が外部の冷気により温度低下されることはない。
【産業上の利用可能性】
【００４８】
このように本発明によれば、冷房時及び暖房時にかかわらず、消費電力を節減でき、エアコンの冷暖房効率を高めることができるエアコン室外機の空気取り入れ口カバーを提供する。
【符号の説明】
【００４９】
１    立体基材
２  外側面を囲む板状部材
３  傾斜羽根
４  傾斜羽根列設立体基材（ブラインド）
５    中空ビーズを含む塗料の塗布層
６    網目状格子窓
７  空気通路
８  エアコン室外機
９  空気取り入れ口
【要約】
【課題】  既設のエアコン室外機に簡単に設置でき、夏季及び冬季を問わずエアコンの冷暖房効率を高め、消費電力の軽減を図る。
【解決手段】外側面を板状部材で囲み、その前端面を空気注入口とし、後端面をエアコン室外機の空気取り入れ口に接合し、内部に空気通路を形成した立体基材の前端面側に複数の羽根を上下方向に列設したブラインドを取り付け、更に羽根表面には中空ビーズを含む塗料の塗布層を形成したことを特徴とするエアコン室外機の空気取り入れ口カバー。
【選択図】図１【図１】
0006050878.tif 000002
【図２】
0006050878.tif 000003
【図３】
0006050878.tif 000004
【図４】
0006050878.tif 000005